(57)【特許請求の範囲】
【請求項１】
窓枠と、一辺が該窓枠に回動自在に連結され揺動して開閉する障子と、シリンダと、該シリンダに挿入されたピストンおよび前記シリンダ内に配され前記ピストンを押出方向に付勢する付勢手段を有し、一端が前記窓枠に回動自在に連結され、他端が前記障子に回動自在に連結され、伸縮可能であるとともに前記障子を開窓方向に付勢するスティとを備えた複数の窓を横に並設してなる連窓の障子の傾斜角合わせ機構であって、
前記複数の窓の間の窓枠部材を貫通して配されるとともに、前記スティの窓枠側の支点を連結して一体的に回動させる連結軸からなることを特徴とする連窓の障子の傾斜角合わせ機構。
【請求項２】
請求項１に記載の連窓において、前記スティは、一端部が前記ピストンの端部に固定されるとともに、他端部が前記シリンダに摺動自在に外嵌めされた補強外筒を備えたことを特徴とする連窓の障子の傾斜角合わせ機構。
【請求項３】
請求項２に記載の連窓において、前記シリンダの外周に滑らかな外周面を有する套管を外嵌したことを特徴とする連窓の障子の傾斜角合わせ機構。
【発明の詳細な説明】
【０００１】
【発明の属する技術分野】
この発明は、揺動開閉式の連窓において、半開状態（全閉および全開以外の開窓状態）での各障子の傾斜角を一致させる障子の傾斜角合わせ機構に関する。
【０００２】
【従来の技術】
排煙窓などに使用される揺動開閉式の連窓は、各窓の障子と窓枠とに両端を回動自在に連結された伸縮自在のスティにより開窓方向に付勢されている。この揺動開閉式の連窓は、窓枠と障子とに取付けられた滑車を介して掛け渡されたワイヤ、および該ワイヤの巻取り装置が付設されている。連窓の開窓は、巻取り装置に設けたロック機構の解除により、各障子が伸長するスティに付勢されて回動することによりなされる。連窓の閉窓は、巻取り装置にワイヤを巻取ることにより、スティが縮小してなされる。
【０００３】
換気などのために各窓を半開状態で維持するには、一旦各窓を全開にし、つぎに巻取り装置でワイヤを巻取りながら障子を閉窓方向に揺動させ、所望の開度で巻取り装置を固定する。この連窓の各窓の障子の傾斜角は、全閉時と全開時には同一となるが、半開状態では、ワイヤの巻取りに対する負荷の少ない巻取り装置に近い方の窓の障子が先に回動し、負荷およびワイヤの摩擦の大きい遠い窓の障子が遅れて回動する。このため、障子の傾斜角が不揃いとなり、室内の換気が均一に行えなかったり、外観が見苦しい問題がある。
【０００４】
【発明が解決しようとする課題】
連窓における半開時の各窓の障子の傾斜角を揃えるため、種々の機構が提案されているが、いずれも使用する部品数が増加したりワイヤの配索が増加する欠点があるとともに、増加した部品またはワイヤが露出するためデザイン上も好ましくない。
この発明の目的は、部品数の増加が少なく、ワイヤの配索の追加が不要であるとともに、外観をシンプルにできる連窓の障子の傾斜角合わせ機構の提供にある。
【０００５】
【課題を解決するための手段】
この発明は、窓枠と、一辺が該窓枠に回動自在に連結され揺動して開閉する障子と、シリンダと、該シリンダに挿入されたピストンおよび前記シリンダ内に配され前記ピストンを押出方向に付勢する付勢手段を有し、一端が前記窓枠に回動自在に連結され、他端が前記障子に回動自在に連結され、伸縮可能であるとともに前記障子を開窓方向に付勢するスティとを備えた複数の窓を横に並設してなる連窓の障子の傾斜角合わせ機構であって、前記複数の窓の間の窓枠部材を貫通して配されるとともに、前記スティの窓枠側の支点を連結して一体的に回動させる連結軸からなることを特徴とする。
【０００６】
【発明の作用・効果】
この発明では、隣り合う２つ以上の窓の障子の傾斜角を一致させるために、２つの窓の間の窓枠部材に貫通して、２つの窓の障子を開窓方向に付勢しているスティを一体的に回動させる連結軸を設け、障子の傾斜角を一致させている。このため、傾斜角の一致機構が外から見えず、外観の複雑化を防止できる。また、連結軸を含む少数の部品で構成できるため、部品数の増加が少なく、かつ、ワイヤの配索の追加は不要である。
【０００７】
請求項２に記載の構成では、スティは、一端部がピストンの端部に固定されるとともに、他端部がシリンダに摺動自在に外嵌めされた補強外筒を備え、スティに加わる曲げ力の一部を補強外筒に受け持たせている。このため、大きい曲げ力が加わる揺動開閉窓において、小型のスティの使用が可能になるとともに、耐久性が向上できる。この構成では、シリンダの外周面または補強外筒の内周面に樹脂などの潤滑層を形成して、摺動の円滑化を図ることが望ましい。
【０００８】
請求項３に記載の構成では、シリンダの外周に滑らかな外周面を有する套管を外嵌している。これにより、補強外筒の摺動を円滑にするとともに、曲げ力の一部を套管に受け持たせることができ、機械的強度が向上する。
【０００９】
【発明の実施の形態】
図１は連窓１を示し、矩形の左窓２および右窓３が並設されている。左窓２および右窓３の窓枠１０は、左縦枠部材１１、中間縦枠部材１２、右縦枠部材１３、これら３本の縦枠部材１１〜１３の上端および下端を連結している上枠部材１４および下枠部材１５からなる。
【００１０】
窓２および窓３には、障子枠２０および障子枠３０内にガラス板を嵌め込んだ障子２１、３１が揺動自在に取り付けられている。この実施例では、障子２１、３１は、障子枠２０、３０の上辺２２、３２が上枠部材１４にヒンジ結合されて、外開きとなっている。なお、障子２１、３１は、下辺が下枠部材１５にヒンジ結合されていてもよく、内開きであってもよい。
【００１１】
障子２１、３１と窓枠１０との間には、障子２１、３１を開窓方向に付勢しているスティ４が装着されている。スティ４は、各障子２１、３１の両側に１個ずつ、計４個が装着されている。スティ４は、図２に示す如く、シリンダ４１、該シリンダ４１に摺動自在に挿入されたピストン４２を有し、シリンダ４１内にはピストン４２を押出方向に付勢するガス、スプリング、油、またはこれらの組み合わせが内装されている。
【００１２】
ピストン４２の上端部には、両端を平行に欠落させた欠円形穴４３を有するブラケット４４が設けられている。ピストン４２の下端部には、板材をＬ字形に折り曲げたブラケット４５が形成され、ブラケット４５には丸穴４６が開けられている。
【００１３】
４つのスティ４Ａ〜４Ｄは、それぞれ上端のブラケット４４が、左縦枠部材１１の右側面１１１、中間縦枠部材１２の左側面１２１、右側面１２２、または右縦枠部材１３の左側面１３１の、いずれも上部を支点として回動自在に締結されている。各スティ４の下端のブラケット４５は、障子枠２０の左縦部材２３、右縦部材２４、障子３０の左縦部材３３、右縦部材３４の、いずれも下部を支点としてそれぞれ回動自在に締結されている。中間縦枠部材１２の上部のブラケット４４の支点には、左側面から右側面に貫通する貫通穴１６が形成されている。
【００１４】
貫通穴１６には、この発明の障子の傾斜角合わせ機構５が取り付けられている。障子の傾斜角合わせ機構５は、貫通穴１６に差し込まれた軸受パイプ５０と、該軸受パイプ５０に回動自在に貫通して差し込まれた連結軸５１とを備える。連結軸５１の両端部は、円柱を軸対象の平行面で欠落させた形状を有し、欠円形穴４３に緊密に嵌まり込む二面幅部５２、５２が形成され、二面幅部５２、５２の外側にネジ５３、５３が設けられている。
【００１５】
ブラケット４４、４４の欠円形穴４３、４３は、二面幅部５２、５２に外嵌めされ、ネジ５３、５３に螺合されたナット５４、５４により締結されている。これによりスティ４Ｂ、４Ｃは、連結軸５１により連結されて一体的に回動する。このため、障子２１、３１は、常時同一の傾斜角を維持しながら回動する。また、軸受パイプ５０および連結軸５１は、貫通穴１６内に収容されており、外からは見えないため、外観を損なう問題は生じない。
【００１６】
軸受パイプ５０は貫通穴１６の穴面の補強の作用を有するものであり、枠部材の強度が高い場合は使用しなくてもよい。連結軸５１の両端部とスティ４の端部との連結は、スティ４の端部に設けた４角穴または６角穴と、連結軸５１の両端部に形成した４角部または６角部との嵌め合いであってもよい。また、連結軸５１の両端部とスティ４の端部との締結は、ネジとナットの組み合わせ以外の手段を採用してもよい。
【００１７】
窓枠１０と障子２１、３１との間には、左窓２および右窓３の閉窓機構６が設けられている。閉窓機構６は、ワイヤ６１と、ワイヤ巻取り装置６２と、ワイヤが掛け渡された滑車６Ａ〜６Ｈとからなる。滑車６Ａ、６Ｄ、６Ｅ、６Ｈは下枠部材１５の所定位置に取り付けられ、滑車６Ｂ，６Ｃ，６Ｆ，６Ｇは、障子２１、３１の下枠部材２５、３５に取り付けられている。
【００１８】
ワイヤ６１は、先端が左縦枠部材１１の右側面１１１の下部に締結され、滑車６Ａ、６Ｂ、６Ｃ、６Ｄに掛け渡され、中間縦枠部材１２の下部に設けた貫通穴１７を挿通し、滑車６Ｅ、６Ｆ、６Ｇ、６Ｈを経て、右縦枠部材１３の下部に設けた貫通穴１８を通過し、ワイヤ巻取り装置６２に配索されている。
【００１９】
連窓１の開窓は、ワイヤ巻取り装置６２のロック機構（図示せず）のロック解除ボタン６３を押すことによりワイヤ６１のロックが解除されてスティ４の伸長力により障子２１、３１が付勢され揺動し全開する。連窓１の閉窓は、ワイヤ巻取り装置６２のハンドル６４を回動操作してワイヤを巻取る。このとき、ワイヤ巻取り装置６２に近い右窓３の障子３１が先に閉窓方向に回動するように動くが、連結軸５１によりスティ４Ｂ、４Ｃが一体化しているため、左窓２の障子２１も同一の傾斜角で連動する。
【００２０】
図３、図４は第２実施例を示し、スティ４を内包した補強カバー７０付きスティ７を使用している。補強カバー７０は、シリンダ４１を内包した套管７１と、ピストン４２を内包した補強外筒７２とからなる。套管７１は、シリンダ４１の外周に緊密に外嵌する筒体の一端を、両端を平行に欠落させた欠円形穴７３を有するブラケット７４で塞ぐとともに、端部にブラケット４４の欠円形穴４３に嵌合するピン７５を差し込んだ構造を有する。
【００２１】
補強外筒７２は、筒体の一端を穴付きブラケット７６で塞ぎ、端部にブラケット４５の丸穴４６に嵌まり込むピン７７を設けた構造を有する。補強外筒７２は套管７１の外周に摺動自在に外嵌めされている。この構成により、大きい曲げ力が加わる場合に同一仕様のスティ４を使用することが可能となる。なお、套管７１を樹脂筒などの潤滑層で構成し、補強外筒７２のみを追加して補強カバー７０を構成することも可能であり、この場合は欠円形穴７３を有するブラケット７４は不要である。
【図面の簡単な説明】
【図１】この発明の連窓の斜視図である。
【図２】障子の傾斜角合わせ機構の組付図である。
【図３】第２実施例の連窓の斜視図である。
【図４】スティの正面図、断面図および要部組付図である。
【符号の説明】
１    連窓
２    左窓
３    右窓
４    スティ
５    障子の傾斜角合わせ機構
１０  窓枠
２１  障子
３１  障子
４１  シリンダ
４２  ピストン
５１  連結軸
７１  套管
７２  補強外筒
【図１】
0003914337.tif 000002
【図２】
0003914337.tif 000003
【図３】
0003914337.tif 000004
【図４】
0003914337.tif 000005